(57)【要約】【課題】カード状の媒体の面と交差する方向に媒体を搬送可能な、より不都合の少ない媒体搬送装置ならびに媒体処理装置を得る。【解決手段】カード状の媒体に処理を施す媒体処理装置に備えられて媒体を搬送する媒体搬送装置であって、搬送部と、第一の搬送ローラと、第二の搬送ローラとを備える。搬送部は、媒体を支持し、当該媒体の面と交差した方向に沿って、当該媒体を第一の位置と第二の位置との間で搬送する。第一の搬送ローラは、媒体が第一の位置に位置した状態で媒体の第二の位置とは反対側の面に接して回動し、媒体を、当該媒体の面に沿った方向に搬送する。第二の搬送ローラは、媒体が第二の位置に位置した状態で媒体の第一の位置とは反対側の面に接して回動し、媒体を、当該媒体の面に沿った方向に搬送する。【選択図】図２
2014051371.tif 000002
【特許請求の範囲】
【請求項１】
カード状の媒体に処理を施す媒体処理装置に備えられて前記媒体を搬送する媒体搬送装置であって、
前記媒体を支持し、当該媒体の面と交差した方向に沿って、当該媒体を第一の位置と第二の位置との間で搬送する搬送部と、
前記媒体が前記第一の位置に位置した状態で前記媒体の前記第二の位置とは反対側の面に接して回動し、前記媒体を、当該媒体の面に沿った方向に搬送する第一の搬送ローラと、
前記媒体が前記第二の位置に位置した状態で前記媒体の前記第一の位置とは反対側の面に接して回動し、前記媒体を、当該媒体の面に沿った方向に搬送する第二の搬送ローラと
を備える媒体搬送装置。
【請求項２】
前記第一の搬送ローラおよび前記第二の搬送ローラの双方を回動させるモータを備える請求項１に記載の媒体搬送装置。
【請求項３】
前記搬送部は、前記媒体を支持し、当該媒体が前記第一の搬送ローラおよび前記第二の搬送ローラのうち一方に接した状態で当該媒体を当該一方との間に挟む支持部を有している請求項１または２に記載の媒体搬送装置。
【請求項４】
前記搬送部は、
互いに間隔をあけて設けられ、前記媒体の第一の面に接して前記媒体を支持し、当該第一の面に前記第一の搬送ローラおよび前記第二の搬送ローラのうち一方が接した状態では当該一方を互いの間に位置させる、複数の第一の支持部と、
前記媒体の第一の面とは反対側の第二の面に接して前記媒体を支持する第二の支持部と
を有する請求項１または２に記載の媒体搬送装置。
【請求項５】
前記第一の面に前記第一の搬送ローラおよび前記第二の搬送ローラのうち一方が接した状態で、当該一方と前記第二の支持部とが前記媒体を挟んで対向した、請求項４に記載の媒体搬送装置。
【請求項６】
前記第二の面に前記第一の搬送ローラおよび前記第二の搬送ローラのうち他方が接した状態で、当該他方と前記第一の支持部の一つとが前記媒体を挟んで対向した、請求項４または５に記載の媒体搬送装置。
【請求項７】
前記第一の支持部と前記第二の支持部とが互い違いに配置された、請求項４〜６のいずれか一つに記載の媒体搬送装置。
【請求項８】
前記複数の第一の支持部および前記第二の支持部はローラであり、
前記第一の搬送ローラ、前記第二の搬送ローラ、前記第一の支持部、および前記第二の支持部の回動軸が平行である
請求項４〜７のいずれか一つに記載の媒体搬送装置。
【請求項９】
媒体に処理を施す媒体処理装置に備えられて前記媒体を搬送する媒体搬送装置であって、前記媒体を支持し、当該媒体の面と交差した方向に沿って、当該媒体を第一の位置と第二の位置との間で搬送する搬送部と、前記媒体が前記第一の位置に位置した状態で前記媒体の前記第二の位置とは反対側の面に接して回動し、前記媒体を、当該媒体の面に沿った方向に搬送する第一の搬送ローラと、前記媒体が前記第二の位置に位置した状態で前記媒体の前記第一の位置とは反対側の面に接して回動し、前記媒体を、当該媒体の面に沿った方向に搬送する第二の搬送ローラとを備える媒体搬送装置と、
前記媒体に印刷を行う印刷部と
を備える媒体処理装置。
【発明の詳細な説明】
【技術分野】
【０００１】
本発明の実施形態は、媒体搬送装置および媒体処理装置に関する。
【背景技術】
【０００２】
従来、搬送ローラを有し、カード状の媒体を搬送する媒体搬送装置が知られている。
【先行技術文献】
【特許文献】
【０００３】
【特許文献１】特開２００２−３４２７１５号公報
【発明の概要】
【発明が解決しようとする課題】
【０００４】
媒体搬送装置では、カード状の媒体の面と交差する方向に媒体を搬送可能な、より不都合の少ない構成が望まれる場合がある。
【課題を解決するための手段】
【０００５】
実施形態の媒体搬送装置は、カード状の媒体に処理を施す媒体処理装置に備えられて媒体を搬送する媒体搬送装置であって、搬送部と、第一の搬送ローラと、第二の搬送ローラとを備える。搬送部は、媒体を支持し、当該媒体の面と交差した方向に沿って、当該媒体を第一の位置と第二の位置との間で搬送する。第一の搬送ローラは、媒体が第一の位置に位置した状態で媒体の第二の位置とは反対側の面に接して回動し、媒体を、当該媒体の面に沿った方向に搬送する。第二の搬送ローラは、媒体が第二の位置に位置した状態で媒体の第一の位置とは反対側の面に接して回動し、媒体を、当該媒体の面に沿った方向に搬送する。
【図面の簡単な説明】
【０００６】
【図１】図１は、実施形態の媒体処理装置の構成を概略的に示す模式的な側面図である。
【図２】図２は、実施形態の媒体搬送装置の構造を概略的に示す模式的な側面図である。
【図３】図３は、実施形態の媒体搬送装置の上部の構造を示す模式的な側面図である。
【図４】図４は、実施形態の媒体搬送装置の中間部分の構造を示す模式的な側面図である。
【図５】図５は、実施形態の媒体搬送装置の下部の構造を示す模式的な側面図である。
【発明を実施するための形態】
【０００７】
以下、図面を参照して、本実施形態にかかる媒体搬送装置を、媒体処理装置４００に適用した例について説明する。なお、以下では、便宜上、図１〜図５の左側を媒体処理装置４００の正面側（前面側）、図１〜図５の右側を媒体処理装置４００の背面側（後面側）とする。
【０００８】
図１は、媒体処理装置４００の構成を概略的に示す模式的な側面図である。媒体処理装置４００は、証明カード３０１の原券であるカード状の媒体３００に印刷等の処理を施すことにより証明カード３０１すなわち免許証を作成する。媒体処理装置４００は、筐体１と、カード媒体供給部２と、３色カラー感熱昇華印刷部３と、黒文字溶融転写印刷部４と、遮蔽膜転写部５と、上段カード搬送路６と、媒体搬送装置７と、下段カード搬送路８と、保護膜転写部９と、表面保護膜硬化部１０と、排出ローラ対１１と、集積部１２と、電装部１３と、作成機制御ラック１４とを備えている。
【０００９】
筐体１は、正面に、操作入力部（不図示）を備えている。操作入力部は、オペレータの操作を受け付けるための操作盤や、オペレータに各種情報や異状等を表示するための表示装置等を備えている。
【００１０】
カード媒体供給部２は、筐体１内の手前側上方に設けられて、カードホッパ２１と取出ローラ２２とを備えており、媒体３００を一枚ずつ取り出して供給する。カードホッパ２１は、媒体３００を被印刷面を上にした水平状態で積層収納する容器である。取出ローラ２２は、カードホッパ２１の下面に配置されて、図１中時計回り方向に回動するゴムローラである。取出ローラ２２は、回動することによって、カードホッパ２１内の媒体３００を、最下層から１枚ずつ取り出す。
【００１１】
上段カード搬送路６は、筐体１内の手前から奥へと水平状態に設けられて、複数対の搬送ローラ対６１と、クランプローラ６２とを備えている。搬送ローラ対６１は、媒体３００を、上段カード搬送路６に沿って図１中右方向に搬送する。クランプローラ６２は、上段カード搬送路６の終端部に位置し、媒体３００を把持して媒体搬送装置７へと送り込む。上段カード搬送路６から下段カード搬送路８までは、媒体搬送装置７（後述）によって接続されている。下段カード搬送路８は、上段カード搬送路６の下に、上段カード搬送路６に対して平行に、筐体１内の奥から手前へと設けられている。下段カード搬送路８は、ベルトコンベア８ａ，８ｂおよび複数対の搬送ローラ対８ｃを備えている。
【００１２】
３色カラー感熱昇華印刷部３は、上段カード搬送路６上のカード媒体供給部２の下流側（図１中右側）に設けられ、媒体３００の搬送方向に沿って順次配置されたイエロー印刷部３Ｙ、マゼンダ印刷部３Ｍ、シアン印刷部３Ｃを備えている。そして、３色カラー感熱昇華印刷部３は、Ｙ（イエロー），Ｍ（マゼンダ），Ｃ（シアン）の３色を順次重ね合わせて感熱昇華印刷することによって、証明カード３０１の所持者となる人物の顔画像を媒体３００に対してフルカラー多色印刷する。
【００１３】
上記各印刷部３Ｙ，３Ｍ，３Ｃは、プラテンローラ３１（３１Ｙ，３１Ｍ，３１Ｃ）と、感熱印刷ヘッド３２（３２Ｙ，３２Ｍ，３２Ｃ）と、Ｙ（イエロー），Ｍ（マゼンダ），Ｃ（シアン）の３色の感熱昇華印刷インクリボン３３（３３Ｙ，３３Ｍ，３３Ｃ）と、インクリボン送出軸３４（３４Ｙ，３４Ｍ，３４Ｃ）と、インクリボン巻取軸３５（３５Ｙ，３５Ｍ，３５Ｃ）と、を備えている。
【００１４】
感熱昇華印刷インクリボン３３は、プラテンローラ３１と感熱印刷ヘッド３２との間に介在している。インクリボン送出軸３４およびインクリボン巻取軸３５は、感熱昇華印刷インクリボン３３の一方の端部および他方の端部から感熱昇華印刷インクリボン３３を巻き取る。
【００１５】
黒文字溶融転写印刷部４は、３色カラー感熱昇華印刷部３の下流側（図１中右側）に設けられ、プラテンローラ４１と、感熱印刷ヘッド４２と、黒の感熱溶融転写インクリボン４３と、インクリボン送出軸４４と、インクリボン巻取軸４５とを備えている。そして、黒文字溶融転写印刷部４は、３色カラー感熱昇華印刷部３から送り込まれた媒体３００に、必要な記載情報を黒文字にて印刷する。
【００１６】
遮蔽膜転写部５は、黒文字溶融転写印刷部４の下流側（図１中右側）に設けられ、プラテンローラ５１と、ヒートローラ５２と、ＵＶ遮蔽膜転写リボン５３と、リボン送出軸５４と、リボン巻取軸５５とを備えている。遮蔽膜転写部５は、印刷を完了した媒体３００の表面に、紫外線（ＵＶ）遮蔽膜を転写する。
【００１７】
ＵＶ遮蔽膜は、感熱印刷インクリボンと同じようにＵＶ遮蔽膜転写リボン５３の上に形成されていて透明であって、次のステージでの紫外線照射による顔画像の退色を防ぐとともに、実際の使用中に太陽光に晒された際の色あせを防止する。ヒートローラ５２は、内部に発熱体を有しており、プラテンローラ５１との間で媒体３００にＵＶ遮蔽膜転写リボン５３を押し当てて、ＵＶ遮蔽膜を媒体３００に感熱転写する。
【００１８】
保護膜転写部９は、下段カード搬送路８における最上流すなわち媒体搬送装置７の下流側（図１中左側）に設けられ、プラテンローラ９１と、ヒートローラ９２と、表面保護膜転写リボン９３と、リボン送出軸９４と、リボン巻取軸９５とを備えている。保護膜転写部９は、媒体３００の表面に、ＵＶ遮蔽膜に重ねて紫外線硬化型の表面保護膜を転写する。
【００１９】
表面保護膜は、感熱印刷インクリボンと同じように表面保護膜転写リボン９３の上に形成されていて透明であって、媒体３００に転写されて硬化すると、媒体３００の表面を傷つきにくくし、媒体３００の耐久性を向上させる。ヒートローラ９２は、内部に発熱体を有しており、プラテンローラ９１との間で媒体３００に表面保護膜転写リボン９３を押し当てて、表面保護膜を媒体３００に感熱転写する。
【００２０】
表面保護膜硬化部１０は、保護膜転写部９の下流側（図１中左側）に設けられ、搬送ローラ対１０１と、水銀灯１０２とを備えており、保護膜転写部９で媒体３００に転写された表面保護膜を硬化させる。水銀灯１０２は、ベルトコンベア８ｂの上方に１０ｃｍ程度離して配置されており、ベルトコンベア８ａから受け渡されて搬送されてきたベルトコンベア８ｂ上の媒体３００の表面に紫外線を照射することにより、媒体３００に転写された表面保護膜を急速に硬化させる。
【００２１】
集積部１２は、筐体１内の手前側下方であって表面保護膜硬化部１０の下流側（図１中左側）である位置に設けられ、スタッカ１２１を備えており、ベルトコンベア８ｂから送り出され搬送ローラ対１０１および排出ローラ対１１によって挟持搬送されてきた媒体３００、すなわち作成された証明カード３０１を収容する。
【００２２】
媒体搬送装置７は、遮蔽膜転写部５の下流側かつ保護膜転写部９の上流側に配置されて筐体１内の奥側に位置しており、上段カード搬送路６の終端部のクランプローラ６２によって送り込まれた媒体３００を、下段カード搬送路８へと搬送する。ここで、図１および図２中に、クランプローラ６２から媒体搬送装置７への媒体３００の搬送経路Ａと、媒体搬送装置７から下段カード搬送路８の搬送ローラ対８ｃへの媒体３００の搬送経路Ｂとを、それぞれの搬送方向を示す矢印とともに示す。
【００２３】
図２〜図５を用いて、媒体搬送装置７について説明する。図２は、媒体搬送装置７の構造を概略的に示す模式的な側面図である。図３は、媒体搬送装置７の上部の構造を示す模式的な側面図である。図４は、媒体搬送装置７の中間部分の構造を示す模式的な側面図である。図５は、媒体搬送装置７の下部の構造を示す模式的な側面図である。なお、図２〜図５は、筐体１の一部である媒体搬送装置７の蓋（不図示）を取り外した状態を示している。
【００２４】
媒体搬送装置７は、搬送部７１と、ドライブローラ７２と、ドライブローラ７３と、モータ７４と、テンションローラ７５，７６と、エンドレスベルト７７と、モータ７８と、ドライブローラ７９と、テンションローラ８０，８１，８２と、エンドレスベルト８３とを備えている。ドライブローラ７２は、第一の搬送ローラの一例である。ドライブローラ７３は、第二の搬送ローラの一例である。
【００２５】
搬送部７１は、キャリッジ２０１（移動部）と、スライドレール２０２（案内部）と、ピンチローラ２０３，２０４と、ピンチローラ２０５と、上ガイド板２０６および下ガイド板２０７とを備えている。ピンチローラ２０３，２０４は、支持部および第一の支持部の一例である。ピンチローラ２０５は、支持部および第二の支持部の一例である。
【００２６】
搬送部７１は、媒体３００を支持しつつ、当該支持された媒体３００の第一の面３００ａおよびこの第一の面３００ａの反対側の面である第二の面３００ｂと交差した方向（本実施形態では一例として直交方向、すなわち上下方向）に沿って、媒体３００を第一の位置Ｐｍ１と第二の位置Ｐｍ２との間で搬送する。
【００２７】
キャリッジ２０１は、スライドレール２０２の長手方向に沿ってスライド自在に取り付けられて、第一の位置Ｐｃ１と第二の位置Ｐｃ２との間を移動可能である。キャリッジ２０１には、ピンチローラ２０３，２０４，２０５と、上ガイド板２０６および下ガイド板２０７とが取り付けられている。
【００２８】
スライドレール２０２は、長手方向を略上下に向けて配置されており、キャリッジ２０１を長手方向に沿って上下方向に案内する。キャリッジ２０１は、媒体３００を水平姿勢（面３００ａ，３００ｂが水平面に略沿った姿勢）で支持する。すなわち、スライドレール２０２は、キャリッジ２０１を、媒体３００の面３００ａ，３００ｂと交差した方向に沿って案内する。
【００２９】
上ガイド板２０６および下ガイド板２０７は、面を略水平に配置されており、これらの間に差し込まれた媒体３００を保持する。媒体３００の差込方向の上流側において、上ガイド板２０６の端部は上向きに曲げられ、下ガイド板２０７の端部は下向きに曲げられている。これにより、上ガイド板２０６の上流側端部と下ガイド板２０７の上流側端部との間に、差込・排出口２０８が設けられている。差込・排出口２０８は、搬送経路Ａから送り込まれる媒体３００を受け入れ、搬送経路Ｂへと媒体３００を排出する。また、下ガイド板２０７の終端部は上向きに曲げられて、送り止め２０９が設けられている。送り止め２０９は、媒体３００が差込方向下流側に行き過ぎるのを抑制する。
【００３０】
ピンチローラ２０３，２０４は、図中奥行方向に平行な回動軸（不図示）回りに回動自在である。これらの回動軸の両端は、キャリッジ２０１に形成された長孔（不図示）にはまっている。これにより、ピンチローラ２０３，２０４は、長孔の長手方向に移動可能に長孔に支持されている。さらに、ピンチローラ２０３，２０４の回動軸は、例えばバネ等の付勢部材（不図示）によって上向きに付勢されている。これにより、ピンチローラ２０３，２０４は、媒体３００の第一の面３００ａに圧接する。また、ピンチローラ２０３は媒体３００の差込方向上流側に、ピンチローラ２０４は媒体３００の差込方向下流側に、それぞれ配置されており、ピンチローラ２０３とピンチローラ２０４とは互いに間隔をあけて設けられている。
【００３１】
ピンチローラ２０５は、図中奥行方向に平行な回動軸（不図示）回りに回動自在である。この回動軸の両端は、キャリッジ２０１に形成された長孔（不図示）にはまっている。これにより、ピンチローラ２０５は、長孔の長手方向に移動可能に長孔に支持されている。さらに、ピンチローラ２０５の回動軸は、例えばバネ等の付勢部材（不図示）によって下向きに付勢されている。これにより、ピンチローラ２０５は、媒体３００の第二の面３００ｂに圧接する。
【００３２】
これらのピンチローラ２０３，２０４とピンチローラ２０５とが互い違いに配置されている。よって、キャリッジ２０１は、媒体３００をより安定的にあるいはより確実に支持しやすい。
【００３３】
モータ７４は、エンドレスベルト７７を介してドライブローラ７２およびドライブローラ７３の双方に回動力を与えて回動させる。ドライブローラ７２は、媒体３００およびキャリッジ２０１が第一の位置Ｐｍ１，Ｐｃ１（図３に示す位置）に位置した状態で、媒体３００の第二の位置Ｐｍ２とは反対側の面である第二の面３００ｂに接して図中反時計回り方向に回動し、媒体３００を、面３００ａ，３００ｂに沿った方向である図中右方向に搬送する。ドライブローラ７３は、媒体３００およびキャリッジ２０１が第二の位置Ｐｍ２，Ｐｃ２（図５に示す位置）に位置した状態で、媒体３００の第一の位置Ｐｍ１とは反対側の面である第一の面３００ａに接して図中反時計回り方向に回動し、媒体３００を、面３００ａ，３００ｂに沿った方向である図中左方向に搬送する。
【００３４】
ここで、ピンチローラ２０３は、図３に示すドライブローラ７２が第二の面３００ｂに接した状態では、ドライブローラ７２との間に媒体３００を挟んで対向する。ピンチローラ２０５は、図５に示すドライブローラ７３が第一の面３００ａに接した状態では、ドライブローラ７３との間に媒体３００を挟んで対向する。また、このとき、ドライブローラ７３が、ピンチローラ２０３とピンチローラ２０４との間に位置する。
【００３５】
なお、図面に符号を示さないが、上ガイド板２０６には、ドライブローラ７２およびピンチローラ２０５を媒体３００の上面に接触可能に貫通させる孔が形成されており、また、下ガイド板２０７には、ドライブローラ７３およびピンチローラ２０３，２０４を媒体３００の下面に接触可能に貫通させる孔が形成されている。
【００３６】
エンドレスベルト７７（回動伝達部）は、ドライブローラ７２、ドライブローラ７３、およびテンションローラ７５，７６に掛け回される。テンションローラ７５，７６は、位置調整可能に設けられている。テンションローラ７５，７６の位置の調整により、エンドレスベルト７７の張力が変化する。
【００３７】
モータ７８は、エンドレスベルト８３（回動伝達部）を介してドライブローラ７９に回動力を与える。エンドレスベルト８３はドライブローラ７９およびテンションローラ８０，８１，８２に掛け回されており、このエンドレスベルト８３にキャリッジ２０１が取り付けられている。テンションローラ８０，８１，８２は、位置調整可能に設けられている。テンションローラ８０，８１，８２の位置の調整により、エンドレスベルト８３の張力が変化する。ドライブローラ７９は、モータ７８から伝達される回動力によって回動することによりエンドレスベルト８３を送って、エンドレスベルト８３に取り付けられたキャリッジ２０１を、スライドレール２０２に沿って上下方向に移動させる。
【００３８】
また、本実施形態のドライブローラ７２，７３，７９およびピンチローラ２０３，２０４，２０５の回動軸は互いに平行であって全て図中奥行方向に沿っている。また、スライドレール２０２やモータ７４，７８、ドライブローラ７２，７３，７９およびテンションローラ７５，７６，８０，８１，８２は、筐体１に固定的に設けられた奥側の壁７ｗに取り付けられて、支持されている。さらに、媒体３００の搬入元および搬出先は、共に、媒体搬送装置７の一方側（図中左側）に位置している。また、キャリッジ２０１を動かす構成の一部であるエンドレスベルト８３やテンションローラ８０，８１，８２は、搬送部７１を介して媒体３００の搬入元および搬出先の反対側に位置している。
【００３９】
以下、上記構成の本実施形態の媒体搬送装置７の動作について説明する。媒体３００を遮蔽膜転写部５から次の工程である保護膜転写部９へと搬送するにあたり、媒体搬送装置７は、まずキャリッジ２０１を第一の位置Ｐｃ１（図２および図３参照）に位置させる。この状態では、ドライブローラ７２は、ピンチローラ２０３に対向する。
【００４０】
続いて、上段カード搬送路６終端部のクランプローラ６２が、遮蔽膜転写部５での処理まで施された媒体３００を、搬送経路Ａに沿って、差込・排出口２０８に差し込む。すると、媒体搬送装置７は、モータ７４を駆動させる。差込・排出口２０８に差し込まれた媒体３００は、ドライブローラ７２の回動に伴って送られて、上ガイド板２０６と下ガイド板２０７との間に入り込み、第一の位置Ｐｍ１に至る。このとき、ピンチローラ２０３，２０４，２０５は、ドライブローラ７２により送られる媒体３００の面３００ａ，３００ｂの移動につれて回動しながら、媒体３００を把持し、支持する。
【００４１】
次に、媒体搬送装置７は、モータ７８を駆動させてキャリッジ２０１を移動させ、キャリッジ２０１を第一の位置Ｐｃ１から図４に示す位置を経て第二の位置Ｐｃ２（図５参照）へと搬送する。ここで、キャリッジ２０１が図４に示すような第一の位置Ｐｃ１と第二の位置Ｐｃ２との中間に位置するとき、媒体３００にドライブローラ７２，７３は接していないが、媒体３００は、互い違いに配置されたピンチローラ２０３，２０４，２０５によって把持され、支持されている。
【００４２】
キャリッジ２０１が第二の位置Ｐｃ２に至るとともに、媒体３００も第二の位置Ｐｍ２に至る。また、キャリッジ２０１が第二の位置Ｐｃ２にある状態では、ドライブローラ７３は、ピンチローラ２０３とピンチローラ２０４との間に位置し、かつ、ピンチローラ２０５に対向する。
【００４３】
続いて、媒体搬送装置７は、モータ７４を駆動させる。すると、媒体３００は、ドライブローラ７３の回動に伴って送られて第二の位置Ｐｍ２から移動し、上ガイド板２０６と下ガイド板２０７との間から出て、搬送経路Ｂに沿って、保護膜転写部９へと送り込まれる。
【００４４】
以上のように、本実施形態では、上段カード搬送路６から下段カード搬送路８まで媒体３００を搬送する媒体搬送装置７は、媒体３００の面３００ａ，３００ｂと交差した方向の移動を行う構成（搬送部７１）と、面３００ａ，３００ｂに沿った方向の移動を行う構成（ドライブローラ７２、ドライブローラ７３）とを有する。よって、媒体３００が折れ曲がったり湾曲したりしにくい。
【００４５】
また、本実施形態では、キャリッジ２０１が媒体３００を搬送する動力を与えるドライブローラ並びにその動力源としてのモータを有しない。仮に、キャリッジに、搬送ローラやモータを載せると、その分、キャリッジの重量がかさんでしまう。また、モータに通電するためのケーブル（ハーネス）が、移動するキャリッジに伴って移動するため、装置内に当該ケーブルのためのスペースを確保する必要が生じる。また、移動するケーブルは傷みやすい。このような構成に比すると、本実施形態では、キャリッジ２０１が軽くなるので、キャリッジ２０１ひいては媒体３００を搬送する速度がより速くなる。また、ケーブル並びにケーブル用のスペースが不要となる。
【００４６】
さらに、本実施形態では、上段カード搬送路６から下段カード搬送路８まで媒体３００を搬送するにあたって、上段カード搬送路６および下段カード搬送路８との間で媒体３００をやりとりするための構成（ドライブローラ７２、ドライブローラ７３）と、上下に媒体３００を移動させるための構成（搬送部７１）とを有する。例えば、仮に、重力により傾斜面に沿って媒体を上から下へ移動させる構成では、落下の際に媒体の姿勢が崩れることがあり、後の工程側での媒体の受け取りの確実性が乏しい。この点、本実施形態によれば、搬送中に媒体３００が落下したりずれたりすることが抑制されやすく、後の工程側（本実施形態においては保護膜転写部９）での媒体３００の受け取りの確実性が向上しやすい。
【００４７】
また、本実施形態では、ドライブローラ７２とドライブローラ７３とを同一のモータ７４で回動させるようにした。よって、本実施形態によれば、各ドライブローラに個別のモータを備える場合に比して、部品点数が減りやすい。よって、製造やメンテナンスに要する手間やコストが減りやすい。また、装置全体の重量が減りやすい。また、発熱源としてのモータが減る分、筐体１内の温度上昇が抑制されやすい。
【００４８】
さらに、本実施形態では、媒体３００が第一の位置Ｐｍ１にある状態で、ピンチローラ２０３とドライブローラ７２とが、間に媒体３００を挟む。よって、本実施形態によれば、媒体３００が、第一の位置Ｐｍ１にある状態で、より安定的にあるいはより確実に支持されやすい。また、媒体３００が第二の位置Ｐｍ２にある状態で、ピンチローラ２０５とドライブローラ７３とが、間に媒体３００を挟む。よって、本実施形態によれば、媒体３００が、第二の位置Ｐｍ２にある状態で、より安定的にあるいはより確実に支持されやすい。なお、本実施形態では、第一の位置Ｐｍ１および第二の位置Ｐｍ２の各々において、ピンチローラ２０３および２０５とドライブローラ７２および７３との間に媒体３００を挟む構成としたが、実施にあたっては、上記構成のうちのいずれか一方の実施に限ってもよい。
【００４９】
また、本実施形態では、スライドレール２０２でキャリッジ２０１を媒体３００の面３００ａ，３００ｂと交差した方向に沿って案内するとともに、キャリッジ２０１に、媒体３００の第一の面３００ａに接するピンチローラ２０３，２０４と、第二の面３００ｂに接するピンチローラ２０５とを設けた。よって、媒体３００がより確実に支持されやすい。さらに、第二の位置Ｐｃ２においては、ドライブローラ７３が、ピンチローラ２０３，２０４の間に位置する。よって、ドライブローラ７３とピンチローラ２０３，２０４とが干渉しない。
【００５０】
さらに、本実施形態では、第二の位置Ｐｃ２でドライブローラ７３とピンチローラ２０５とが媒体３００を挟んで対向する。よって、キャリッジ２０１が第二の位置Ｐｃ２にある状態で、媒体３００がより安定的にあるいはより確実に支持されやすい。
【００５１】
また、本実施形態では、第一の位置Ｐｃ１でドライブローラ７２とピンチローラ２０３とが媒体３００を挟んで対向する。よって、キャリッジ２０１が第一の位置Ｐｃ１にある状態で、媒体３００がより安定的にあるいはより確実に支持されやすい。
【００５２】
さらに、本実施形態では、ピンチローラ２０３，２０４，２０５を互い違いに配置した。よって、媒体３００がより安定的にあるいは確実に支持されやすい。また、ドライブローラ７３とピンチローラ２０３，２０４との干渉、およびドライブローラ７２とピンチローラ２０５との干渉が回避される。
【００５３】
また、本実施形態では、支持部、第一の支持部、および第二の支持部がローラ（ピンチローラ２０３，２０４，２０５）である。よって、媒体３００の移動可能方向が一方向に定まりやすい。また、回動しない支持部である場合と比して、媒体３００の移動の抵抗が減りやすい。
【００５４】
さらに、スライドレール２０２やモータ７４，７８、ドライブローラ７２，７３，７９およびテンションローラ７５，７６，８０，８１，８２が、筐体１に固定的に設けられた奥側の壁７ｗに取り付けられている。よって、メンテナンスを要する場合には筐体１の一部である媒体搬送装置７の蓋（図２の手前側に配置される。不図示）を取り外すことにより上記各部を露出させることができる。よって、メンテナンス性が向上されやすい。
【００５５】
そして、媒体３００の搬入元および搬出先が共に媒体搬送装置７の一方側に位置しているのに対して、当該搬入元および搬出先の搬送部７１を介して反対側に、エンドレスベルト８３やテンションローラ８０，８１，８２が位置する。よって、エンドレスベルト８３やテンションローラ８０，８１，８２を配置しやすくでき、さらに、エンドレスベルト８３のメンテナンス性が向上しやすい。
【００５６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、各構成や形状のスペック（方式や構造、種類、方向、形状、大きさ、長さ、幅、厚さ、高さ、数、配置、位置、材質等）は、適宜に変更して実施することができる。
【００５７】
なお、上記実施形態では、支持部、第一の支持部および第二の支持部としてピンチローラ２０３，２０４，２０５を採用しているが、実施にあたってはピンチローラでなくともよく、さらにはローラでなくともよく、例えば、媒体３００との間の摩擦係数が小さい合成樹脂材料等であってもよい。また、ローラないしピンチローラとローラでない部材とが混在して構成される支持部であってもよい。
【００５８】
また、上記実施形態では、支持部は３つのピンチローラ２０３，２０４，２０５であるが、支持部の数は３つに限らない。
【００５９】
さらに、上記実施形態では、搬送部７１として、キャリッジ２０１がスライドレール２０２に沿ってベルト駆動により動かされる構成を採用しているが、実施にあたっては、この構成には限定されない。
【００６０】
そして、上記実施形態では、水平方向および上下方向に媒体３００を移動させたが、媒体３００の搬送方向はこれらに限らない。例えば、水平および鉛直から傾斜した方向に搬送してもよい。また、本実施形態で水平方向および上下方向の直交する２方向に媒体３００を搬送したが、これら２方向は直交していなくてもよい。
【符号の説明】
【００６１】
７…媒体搬送装置、７１…搬送部、７２…ドライブローラ（第一の搬送ローラ）、７３…ドライブローラ（第二の搬送ローラ）、７４…モータ、２０３…ピンチローラ（支持部、第一の支持部）、２０４…ピンチローラ（支持部、第一の支持部）、２０５…ピンチローラ（支持部、第二の支持部）、３００…媒体、３００ａ…第一の面、３００ｂ…第二の面、Ｐｍ１，Ｐｃ１…第一の位置、Ｐｍ２，Ｐｃ２…第二の位置、４００…媒体処理装置。
【図１】
2014051371.tif 000003
【図２】
2014051371.tif 000004
【図３】
2014051371.tif 000005
【図４】
2014051371.tif 000006
【図５】
2014051371.tif 000007